(57)【特許請求の範囲】
【請求項１】
コントローラ機器と複数台のターゲット機器とをシリアルインターフェースを介して接続し、前記コントローラ機器から前記シリアルインターフェースを介して前記ターゲット機器の特定の機器を遠隔操作するに際し、
コントローラ機器から前記特定の機器が設置されている方向に向かって指向性信号を送信し、
前記複数台のターゲット機器から前記指向性信号の受信情報を前記シリアルインターフェースを介して前記コントローラ機器に送信し、
前記コントローラ機器は前記受信情報に基づいて前記ターゲット機器のうちで選択しようとする前記特定の機器を操作対象として選択し、この選択した前記ターゲット機器を指定して前記シリアルインターフェースを介して操作信号を送信する
ＡＶ機器の遠隔操作方法。
【請求項２】
ターゲット機器からコントローラ機器への前記受信情報は、
各ターゲット機器における前記指向性信号の受信レベルの測定結果を有しており、
前記コントローラ機器は、前記複数のターゲット機器のうち受信レベルが大きい順に１つもしくは複数のターゲット機器を操作対象として選択する
請求項１記載のＡＶ機器の遠隔操作方法。
【請求項３】
前記コントローラ機器に操作対象とする機器の機能または種類をプリセットしておき、
前記コントローラ機器は前記受信情報と前記プリセットした機器の機能または種類とに基づいて前記ターゲット機器のうちで選択しようとする前記特定の機器を操作対象として選択する
請求項１記載のＡＶ機器の遠隔操作方法。
【請求項４】
前記コントローラ機器にプリセットされる操作対象とする機器の機能の内容が記録装置や表示装置などの別であり、プリセットされる操作対象とする機器の種類の内容がＤ−ＶＨＳビデオ機器やＤＶＤプレーヤ等などの別である
請求項３記載のＡＶ機器の遠隔操作方法。
【請求項５】
前記コントローラ機器は、前記シリアルインターフェースを介して前記ターゲット機器からの映像や音声を受信再生する
請求項１記載のＡＶ機器の遠隔操作方法。
【請求項６】
前記コントローラ機器は、操作対象として選択したターゲット機器に対して前記シリアルインターフェースを介して実行可能な操作を問い合わせ、前記選択したターゲット機器に適した操作パネルをコントローラ機器の表示手段に表示する
ことによって前記ターゲット機器を操作する
請求項１記載のＡＶ機器の遠隔操作方法。
【請求項７】
前記シリアルインターフェースがＩＥＥＥ１３９４やＵＳＢ規格に準拠するシリアルバスである
請求項１記載のＡＶ機器の遠隔操作方法。
【請求項８】
前記コントローラ機器は、前記実行可能な操作の問い合わせにＡＶ／Ｃコマンドをターゲット機器に対して前記シリアルインターフェースを介して送信することにより、前記実行可能な操作を問い合わせる
請求項６記載のＡＶ機器の遠隔操作方法。
【請求項９】
前記指向性信号は、レーザーや赤外線，超音波である請求項１記載のＡＶ機器の遠隔操作方法。
【請求項１０】
シリアルインターフェースを介して接続された複数台のターゲット機器のうちの特定の機器を、コントローラ機器から前記シリアルインターフェースを介して遠隔操作するＡＶ機器の遠隔操作装置であって、
コントローラ機器には、前記特定の機器が設置されている方向に向かって指向性信号を送信する手段を設け、
前記複数台のターゲット機器には、前記指向性信号の受信情報を前記シリアルインターフェースを介して前記コントローラ機器に送信する手段を設け、
前記コントローラ機器には、前記受信情報に基づいて前記ターゲット機器のうちで選択しようとする前記特定の機器を操作対象として選択し、この選択した前記ターゲット機器を指定して前記シリアルインターフェースを介して操作信号を送信する手段を設けた
ＡＶ機器の遠隔操作装置。
【発明の詳細な説明】
【０００１】
【発明の属する技術分野】
本発明は、コントローラ機器と複数台のＡＶ機器（ターゲット機器）とをシリアルインターフェースを介して接続し、前記コントローラ機器から前記シリアルインターフェースを介して前記複数台のＡＶ機器のうちの特定の機器を遠隔操作するＡＶ機器の遠隔操作方法に関するものである。
【０００２】
【従来の技術】
これまで、テレビジョン受像機やビデオテープレコーダ，ＤＶＤプレーヤ，ビデオカメラ，オーディオアンプといったＡＶ機器は、それぞれ映像や音声をやり取りするためのＡＶケーブル等で接続されているのみで、それらのＡＶ機器を操作する場合、それぞれの機器に対して操作を直接に行う必要がある。
【０００３】
具体的には、テレビジョン受像機の電源を入れる場合には、テレビジョン受像機の前まで行ってテレビジョン受像機の電源スイッチを押さなければならず、ビデオテープレコーダを見る場合には、ビデオテープレコーダの前まで行って再生ボタンを押すといった操作を行う必要がある。
【０００４】
このような煩わしさを解消するためにリモートコントローラ（以下、リモコンと記述）があるものの、機器ごとに前記リモコンが提供されているため、ＡＶ機器が増えるにしたがって前記リモコンの台数も増え、どのリモコンがどの機器のものであるかと言った混乱がしばしば起こる。
【０００５】
近年、ＡＶ機器はデジタル化が進み、各種デジタルＡＶ機器やパーソナルコンピュータ等の電子機器を、例えばＩＥＥＥ１３９４インターフェースによって接続し、デジタル化した映像や音声データに加え各種の制御データをやり取りすることによって、ＩＥＥＥ１３９４インターフェースによって接続された機器のうちある特定の機器のみから、その他の機器を制御して操作すると言ったことが可能となっている。
【０００６】
例えば、ＩＥＥＥ１３９４インターフェースによってＤ−ＶＨＳビデオ機器，ＤＶＤプレーヤ，デジタルＴＶ，デジタルビデオカメラ等を接続し、デジタルＴＶだけを操作することによって、Ｄ−ＶＨＳビデオ機器を再生，停止，録画したり，デジタルビデオカメラを再生すると言ったことが可能である。
【０００７】
このような技術によって、それぞれの機器の前まで行かずとも、１つの機器から様々な機器を操作することが可能となった。また、リモコンを使用する場合でも、他の機器を操作するためのコントローラとなる１つの機器のリモコンのみ用意すれば良くなり、混乱も少なくなった。
【０００８】
【発明が解決しようとする課題】
ところで、ＩＥＥＥ１３９４インターフェースによって接続された機器のように、ある機器から他の複数の機器を制御できる場合、操作したい機器を操作対象として選択すると言う手順が必要となる。
【０００９】
例えば、ＩＥＥＥ１３９４によって接続されている機器の一覧がデジタルＴＶの画面に表示され、デジタルＴＶのフロントパネルのボタンやリモコンのボタンを用いてその中から操作対象とする機器を選択するといった方法が良く用いられており、特開２０００−１８８７２５号公報のような機器の一覧を表示する方法や機器の選択手法についての技術も公開されている。
【００１０】
しかしながら、前述したとおり、ＩＥＥＥ１３９４インターフェースによって機器が接続される以前は、操作したい機器を直接操作したり、操作したい機器のリモコンをその機器の方向に向けて操作するという行動によって操作対象の機器を選択していたため、操作対象の機器を選択すると言った手順は特に意識することはなかった。
【００１１】
このように、操作対象の機器を選択すると言った手順は、これまで知らず知らずのうちに行っていた行動であり、操作対象機器を一覧から選択すると言った手順を明示的に行わなければならなくなったことで、煩わしさが増えたと言える。
【００１２】
また、お年寄りや機械にさほど詳しくない人にとって、一覧から操作対象の機器を選択するといった手順は少々複雑なものであり、リモコンを操作したい機器に向けるといったこれまで慣れ親しんできた方法のほうがより容易に理解しやすい。
【００１３】
従って、本発明はこのような問題を解消するために、例えばＩＥＥＥ１３９４インターフェースによって接続された複数の機器のうち、ある機器から他の機器を操作する場合の操作性が向上される通信システムおよび制御方法を提供することを目的とする。
【００１４】
【課題を解決するための手段】
本発明の請求項１記載のＡＶ機器の遠隔操作方法は、コントローラ機器と複数台のターゲット機器とをシリアルインターフェースを介して接続し、前記コントローラ機器から前記シリアルインターフェースを介して前記ターゲット機器の特定の機器を遠隔操作するに際し、コントローラ機器から前記特定の機器が設置されている方向に向かって指向性信号を送信し、前記複数台のターゲット機器から前記指向性信号の受信情報を前記シリアルインターフェースを介して前記コントローラ機器に送信し、前記コントローラ機器は前記受信情報に基づいて前記ターゲット機器のうちで選択しようとする前記特定の機器を操作対象として選択し、この選択した前記ターゲット機器を指定して前記シリアルインターフェースを介して操作信号を送信することを特徴とする。
【００１５】
本発明の請求項２記載のＡＶ機器の遠隔操作方法は、請求項１において、ターゲット機器からコントローラ機器への前記受信情報は、各ターゲット機器における前記指向性信号の受信レベルの測定結果を有しており、前記コントローラ機器は、前記複数のターゲット機器のうち受信レベルが大きい順に１つもしくは複数のターゲット機器を操作対象として選択することを特徴とする。
【００１６】
本発明の請求項３記載のＡＶ機器の遠隔操作方法は、請求項１において、前記コントローラ機器に操作対象とする機器の機能または種類をプリセットしておき、前記コントローラ機器は前記受信情報と前記プリセットした機器の機能または種類とに基づいて前記ターゲット機器のうちで選択しようとする前記特定の機器を操作対象として選択することを特徴とする。
【００１７】
本発明の請求項４記載のＡＶ機器の遠隔操作方法は、請求項３において、前記コントローラ機器にプリセットされる操作対象とする機器の機能の内容が記録装置や表示装置などの別であり、プリセットされる操作対象とする機器の種類の内容がＤ−ＶＨＳビデオ機器やＤＶＤプレーヤ等などの別であることを特徴とする。
【００１８】
本発明の請求項５記載のＡＶ機器の遠隔操作方法は、請求項１において、前記コントローラ機器は、前記シリアルインターフェースを介して前記ターゲット機器からの映像や音声を受信再生することを特徴とする。
【００１９】
本発明の請求項６記載のＡＶ機器の遠隔操作方法は、請求項１において、前記コントローラ機器は、操作対象として選択したターゲット機器に対して前記シリアルインターフェースを介して実行可能な操作を問い合わせ、前記選択したターゲット機器に適した操作パネルをコントローラ機器の表示手段に表示することによって前記ターゲット機器を操作することを特徴とする。
【００２０】
本発明の請求項７記載のＡＶ機器の遠隔操作方法は、請求項１において、前記シリアルインターフェースがＩＥＥＥ１３９４やＵＳＢ規格に準拠するシリアルバスであることを特徴とする。
【００２１】
本発明の請求項８記載のＡＶ機器の遠隔操作方法は、請求項６において、前記コントローラ機器は、前記実行可能な操作の問い合わせにＡＶ／Ｃコマンドをターゲット機器に対して前記シリアルインターフェースを介して送信することにより、前記実行可能な操作を問い合わせることを特徴とする。
【００２２】
本発明の請求項９記載のＡＶ機器の遠隔操作方法は、請求項１において、前記指向性信号は、レーザーや赤外線，超音波であることを特徴とする。
本発明の請求項１０記載のＡＶ機器の遠隔操作装置は、シリアルインターフェースを介して接続された複数台のターゲット機器のうちの特定の機器を、コントローラ機器から前記シリアルインターフェースを介して遠隔操作するＡＶ機器の遠隔操作装置であって、コントローラ機器には、前記特定の機器が設置されている方向に向かって指向性信号を送信する手段を設け、前記複数台のターゲット機器には、前記指向性信号の受信情報を前記シリアルインターフェースを介して前記コントローラ機器に送信する手段を設け、前記コントローラ機器には、前記受信情報に基づいて前記ターゲット機器のうちで選択しようとする前記特定の機器を操作対象として選択し、この選択した前記ターゲット機器を指定して前記シリアルインターフェースを介して操作信号を送信する手段を設けたことを特徴とする。
【００２３】
【発明の実施の形態】
以下、本発明の実施の形態を図１〜図５に基づいて説明する。
図１は本発明による通信システムの一実施形態である。図において、１はＰＤＡ（Personal Digital Assistant）で、本システムにおいてコントローラ機器となる機能を有している。また、２，３はそれぞれＤ−ＶＨＳビデオ機器、４はデジタルＴＶ、５はデジタルビデオカメラである。
【００２４】
それぞれターゲット機器となる機能を有しているこれらの機器２，３，４，５は、ＩＥＥＥ１３９４インターフェースケーブル６によって接続されており、通信システムを構成している。
【００２５】
前記ＰＤＡ１も上記の通信システムに接続されており、ここではＩＥＥＥ１３９４インターフェースケーブル６のようなケーブルではなく、無線による（無線ＩＥＥＥ１３９４）７で接続されている。
【００２６】
図２は、ＰＤＡ１の構成を示す。
ＰＤＡ１はコントローラ機器であるため、コントローラ機器として最低限必要なブロックＢ２１を備えている。ブロックＢ２１には、指向性信号Ｐｈとしての赤外線を発生する赤外線発生部２１と、通信手段としてＩＥＥＥ１３９４インターフェース２２およびコントローラ機器として要求される機能を満足するようにプログラムされたマイコン２７を備えている。
【００２７】
また、ＰＤＡ１は無線シリアルインターフェース２２を経由して映像や音声のＭＰＥＧデータを受信し視聴するために、ＴＳ（Transport Stream）分離部２３およびデコード部２４を備える。ＩＥＥＥ１３９４インターフェース２２によって受信したＭＰＥＧデータは、ＴＳ分離部２３においてトランスポート分離された後、デコード部２４において映像と音声にデコードされ、表示部２５とスピーカ２６に出力される。また、表示部２５は操作対象に選択された機器の操作パネルを表示するためにも用いられる。
【００２８】
Ｄ−ＶＨＳビデオ機器２，３、デジタルＴＶ４、デジタルビデオカメラ５は、それぞれ機器の種類に応じた機能を実現するための構成となっているが、どの機器もターゲット機器として機能するために、最低限必要な手段を備えている。
【００２９】
図３はターゲット機器の一例としてＤ−ＶＨＳビデオ機器２の基本的な構成（Ｄ−ＶＨＳビデオ機器３についても基本的な構成は変わらない）を示す。
なお、ブロックＢ３１については全てのターゲット機器が備えている手段である。
【００３０】
ブロックＢ３１において、３１は指向性信号受信手段としての赤外線受信部で、そこで受信された信号の受信レベルは受信レベル測定手段３２を用いて測定することができる。図１では受光窓３１Ａがフロントパネルに設けられている。３３はＰＤＡ１と同様のＩＥＥＥ１３９４インターフェースである。３６はＤ−ＶＨＳビデオ機器２として要求される機能を満足するようにプログラムされたマイコン２７である。
【００３１】
また、Ｄ−ＶＨＳビデオ機器２はテープメディアを用いてＭＰＥＧデータを記録するため、ＩＥＥＥ１３９４インターフェース３３によって受信したＭＰＥＧデータをデータ加工部３４において記録に適した形式に加工し、テープ記録・再生部３５においてテープメディアに蓄積する。
【００３２】
また、再生時には、テープ記録・再生部３５において蓄積データを読み出し、データ加工部３４において出力用のＭＰＥＧデータに加工し、ＩＥＥＥ１３９４インターフェース３３によって送信する。
【００３３】
次に、図１に示した通信システムにおいて、操作対象の機器を選択する場合の手順および通信システムの動作を説明する。
はじめに、ユーザがＰＤＡ１に対して「操作対象機器の選択を開始」することを意味する操作を行うと、これを検出したＰＤＡ１は、自分がコントローラ機器となって操作対象機器の選択を開始すると言うことを、ＩＥＥＥ１３９４規格におけるAsynchronous パケット（以下「選択開始パケット」と記述）を用いて、他のターゲット機器に通知すると共に、赤外線発生部２１より赤外線Ｐｈの送信を開始する。
【００３４】
この選択開始パケットを受信したターゲット機器は、赤外線受信部３１によって受信している信号の受信レベルを受信レベル測定手段３２によって測定し、その測定結果を、Asynchronous パケット（以下「受信レベルパケット」と記述）を用いて、ある短い間隔で繰り返しコントローラ機器に送信し始める。
【００３５】
ここで、ユーザがＰＤＡ１の赤外線発生部２１をターゲット機器の方向に向けると、ターゲット機器から受信レベルパケットを用いて送られてくる受信レベルが随時変化する。この時、指向性信号を用いているので、赤外線発生部２１の向いている方向のターゲット機器が最も大きい受信レベルを示し、その方向から外れるに従って受信レベルは低くなる。
【００３６】
ＰＤＡ１のマイコン２７は、ターゲット機器より受信レベルパケットを用いて送られてきた受信レベルを随時更新し、図４や図５に示す処理手順によって操作対象の機器を決定する。
【００３７】
図４（ａ）（ｂ）は、受信レベルの大きいターゲット機器から順に規定の台数を操作対象の機器として選択する場合の処理手順である。ここで、操作対象の機器として選択する台数は、固定で決めておいても良いし、予めユーザによって指定された値を用いても良い。
【００３８】
図４（ａ）の処理手順を説明する。
まず、ＰＤＡ１のマイコン２７は、（ステップＳ４１１）において、受信レベルパケットを送信してきた全てのターゲット機器を操作対象機器の候補と見なし、それらのターゲット機器とそれぞれのターゲット機器における受信レベルの一覧を作成する。
【００３９】
次に、（ステップＳ４１２）では、一覧のターゲット機器を受信レベルの大きい順にソートする。
最後に、（ステップＳ４１３）では、一覧において上から順にユーザが指定した台数（あるいは予め固定された台数）のターゲット機器を操作対象機器に決定する。
【００４０】
また、図４（ａ）の処理手順以外に、図４（ｂ）のような処理手順で処理することもできる。
まず、（ステップＳ４２１）では、前記（ステップＳ４１１）と同様にターゲット機器の一覧を作成する。
【００４１】
次に、（ステップＳ４２２）を介して（ステップＳ４２３）では、（ステップＳ４２１）で作製した一覧において受信レベルが最も大きいターゲット機器を検索し操作対象機器に決定する。
【００４２】
（ステップＳ４２３）は、（ステップＳ４２２）においてユーザが指定した台数（あるいは予め固定された台数）の操作対象機器が決定するまで繰り返し実行される。
【００４３】
なお、図４の処理手順では、ターゲット機器における指向性信号受信レベルだけに基づいて操作対象の機器を選択したが、前記ＰＤＡ１に操作対象とする機器の機能をプリセットした場合には、図５に示すように、ターゲット機器における指向性信号受信レベルとターゲット機器の機能をもとに操作対象の機器を選択することもできる。ここで言う「ターゲット機器の機能」とは、記録装置や表示装置などの別である。
【００４４】
図５は、予めユーザから指定されている機器の機能によってターゲット機器を限定した後に、受信レベルの大きいターゲット機器から順に一定台数を操作対象の機器として選択する処理手順を示す。
【００４５】
まず、（ステップＳ５１１）では、（ステップＳ４１１）と同様にターゲット機器の一覧を作成する。
次に、（ステップＳ５１２）では、一覧のターゲット機器がどのような機能を有しているか調べるために、一覧のターゲット機器全てに、ＡＶ／Ｃコマンドのユニットコマンドに属するSUBUNIT INFO ステータスコマンドを送信する。
【００４６】
（ステップＳ５１３）でターゲット機器からのSUBUNIT INFOレスポンスを受信した後、（ステップＳ５１４）では、これに含まれるサブユニットに関する情報をもとに、ユーザから指定されている機能を持たないターゲット機器を一覧から除外する。
【００４７】
以降、（ステップＳ５１５）では、（ステップＳ４１２）および（ステップＳ４１３）と同様に、一覧のターゲット機器を受信レベルの大きい順にソートする。（ステップＳ５１６）では、上から順にユーザが指定した台数（あるいは予め固定された台数）のターゲット機器を操作対象機器に決定する。
【００４８】
なお、ここでも（ステップＳ５１５）や（ステップＳ５１６）の方法の代わりに（ステップＳ４２２）や（ステップＳ４２３）の方法を用いてもかまわない。
このようにして、図４または図５の少なくとも何れかを実行して選択された１つもしくは複数の操作対象機器に対して、ＰＤＡ１のマイコン２７は、ＡＶ／Ｃコマンドを用いて、サポートしているコマンドを問い合わせ、操作対象機器を操作するのに適した操作パネルをＰＤＡ１の表示部２５に表示する。
【００４９】
ＰＤＡ１の表示部２５に表示された操作パネルをユーザが操作すると、ＰＤＡ１は操作対象機器に対して、その操作に対応するＡＶ／Ｃコマンドを送信し、操作対象機器を制御する。
【００５０】
当然、ユーザが機器選択の途中にＰＤＡ１の赤外線発生部２１の方向を変えれば、その都度、上記の処理手順に従って操作対象機器は変化し、表示部２５に表示される操作パネルも変化する。
【００５１】
そこで、操作対象の機器を固定したい場合、ユーザがＰＤＡ１において操作対象機器の選択を終了することを意味する操作を行うと、ＰＤＡ１は、操作機器の選択を終了すると言うことを、Asynchronous パケット（以降「選択終了パケット」と記述）を用いて、他のターゲット機器に通知すると共に、赤外線発生部２１による赤外線の送信を停止する。
【００５２】
この選択終了パケットを受信したターゲット機器は、赤外線受信部３１による赤外線の受信や、コントローラ機器への受信レベルパケットの送信を停止する。
これによって、操作対象機器は変化しなくなり、ＰＤＡ１の方向にかかわらず、そのとき選択されている操作対象機器のみを操作することが可能となる。
【００５３】
ここで、例えば、図１に示した通信システムにおいて、ＰＤＡ１からＤ−ＶＨＳビデオ機器２を再生し、ＰＤＡ１で視聴する場合の通信システムの動作を説明する。
【００５４】
まず、ユーザがＰＤＡ１において操作対象機器の選択開始の操作を行い、ＰＤＡ１の赤外線発生部２１をＤ−ＶＨＳビデオ機器２の方向へ向ける。すると、上記の手順により、Ｄ−ＶＨＳビデオ機器２が操作対象の機器として選択され、ＰＤＡ１の表示部２５に再生、停止、巻戻し、早送り、録画と言ったＤ−ＶＨＳビデオ機器２の操作ボタンが表示される。
【００５５】
ユーザがＰＤＡ１の表示部２５に表示された操作パネルの再生ボタンを押すと、ＰＤＡ１からＤ−ＶＨＳビデオ機器２に対して再生のためのＡＶ／Ｃコントロールコマンドが送信される。
【００５６】
これを受信したＤ−ＶＨＳビデオ機器２は再生処理を開始し、テープ記録・再生部３５においてテープメディアより読み出した蓄積データを、データ加工部３４において出力用のＭＰＥＧデータに加工し、ＩＥＥＥ１３９４規格におけるIsochronous パケットを用いてＩＥＥＥ１３９４インターフェース３３からＩＥＥＥ１３９４バス上に送信する。
【００５７】
ＰＤＡ１は、このIsochronous パケットをＩＥＥＥ１３９４インターフェース２２で受信して得られたＭＰＥＧデータを、ＴＳ分離部２３においてトランスポート分離し、デコード部２４において映像と音声にデコードして、表示部２５およびスピーカ２６に出力する。ユーザは、この映像や音声を手元のＰＤＡ１において視聴できる。
【００５８】
上記の実施の形態において、ターゲット機器２，３，４，５をＩＥＥＥ１３９４インターフェースケーブル６によって接続したが、ＵＳＢ規格に準拠するシリアルバスで構成することもできる。
【００５９】
【発明の効果】
以上のように本発明によれば、あるコントローラ機器から他の複数のターゲット機器を制御できるというシリアルインターフェースの特徴を活かしつつ、そのような通信システムでは必要不可欠な操作対象機器の選択という操作を、コントローラ機器を操作したい機器の方向に向けるという理解しやすい方法で行うことが可能となる効果がある。
【００６０】
また、そのように選択された操作対象機器の操作パネルをコントローラ機器の表示部に表示することによって、操作対象機器を即座に操作可能となる効果がある。
【図面の簡単な説明】
【図１】本発明のＡＶ機器の遠隔操作方法を実現する通信システムの構成図
【図２】同実施の形態のコントローラ機器の構成図
【図３】同実施の形態のターゲット機器の構成図
【図４】同実施の形態のターゲット機器からの指向性信号受信レベルをもとに操作対象の機器を選択する時の処理のフローチャート図
【図５】同実施の形態のターゲット機器からの指向性信号受信レベルとターゲット機器の機能をもとに操作対象の機器を選択する時の処理のフローチャート図
【符号の説明】
１      ＰＤＡ
２      Ｄ−ＶＨＳビデオ機器
３      Ｄ−ＶＨＳビデオ機器
４      デジタルＴＶ
５      デジタルビデオカメラ
６      ＩＥＥＥ１３９４インターフェースケーブル
７      無線ＩＥＥＥ１３９４
２１      赤外線発生部
２２      ＩＥＥＥ１３９４インターフェース
２３      ＴＳ分離部
２４      デコード部
２５      表示部
２６      スピーカー
２７      マイコン
３１      赤外線受信部
３２      受信レベル測定手段
３３      ＩＥＥＥ１３９４インターフェース
３４      データ加工部
３５      テープ記録・再生部
３６      マイコン
【図１】
0004596699.tif 000002
【図２】
0004596699.tif 000003
【図３】
0004596699.tif 000004
【図４】
0004596699.tif 000005
【図５】
0004596699.tif 000006